(57)【要約】【課題】  背景装置のための占有スペースを大きくとる必要がなく、かつ、撮影時に利用者が選択可能な背景の種別を増やすことができるようにすること。【解決手段】  背景装置は、背景の分割構成要素であって複数の表示面を有する複数個の例えば正三角柱体（背景表示単位体）と、この正三角柱体を回転可能に保持する保持手段と、正三角柱体を回転させて、正三角柱体の複数の表示面のうちで選択された表示面をカメラの方向に向けるための回転駆動手段とを備え、正三角柱体におけるカメラの方向に向ける表示面を変更することで、背景を変化させるように、構成される。【選択図】      図６
2005091931.tif 000002
【特許請求の範囲】
【請求項１】
被写体を撮影するカメラと、被写体から見て前記カメラの反対側に配置され、撮影空間での被写体の背景を創出するための背景装置と、前記カメラで撮影された被写体像を表示するモニタ装置と、被写体像を含む画像をシール紙に印刷するプリント装置とを、有する写真シール作成装置において、
前記背景装置は、前記した背景の分割構成要素であって複数の表示面を有する複数個の背景表示単位体と、この背景表示単位体を回転可能に保持する保持手段と、前記背景表示単位体を回転させて、背景表示単位体の複数の表示面のうちで選択された表示面を前記カメラの方向に向けるための回転駆動手段とを備え、前記背景表示単位体における前記カメラの方向に向ける表示面を変更することで、前記した背景を変化させるようにしたことを特徴とする写真シール作成装置。
【請求項２】
請求項１に記載の写真シール作成装置において、
前記背景表示単位体は前記した背景の縦寸法または横寸法に見合う長さをもつ柱体とされ、縦または横に配置した前記柱体を等間隔に複数本並設し、前記各柱体は、その中心軸を回転中心として回転可能とされたことを特徴とする写真シール作成装置。
【請求項３】
請求項２に記載の写真シール作成装置において、
前記各柱体は、それぞれが個別に選択的に回転可能とされたことを特徴とする写真シール作成装置。
【請求項４】
請求項１に記載の写真シール作成装置において、
前記背景表示単位体は柱体とされ、この柱体をその中心軸を結ぶように複数個直列に配置した列を縦配置または横配置すると共に、前記列を等間隔に複数本並設し、前記各柱体は、その中心軸を回転中心として回転可能とされたことを特徴とする写真シール作成装置。
【請求項５】
請求項４に記載の写真シール作成装置において、
前記各柱体は、前記列毎にそれぞれが個別に選択的に回転可能、または、前記列毎にその列内でグループ分けされた該グループ毎にそれぞれが個別に選択的に回転可能、または、前記各柱体のそれぞれが個別に選択的に回転可能とされたことを特徴とする写真シール作成装置。
【請求項６】
請求項４または５に記載の写真シール作成装置において、
前記各柱体は、格子状または千鳥状に配置されたことを特徴とする写真シール作成装置。
【請求項７】
請求項２乃至６の何れか１項に記載の写真シール作成装置において、
前記柱体は、正三角柱体であることを特徴とする写真シール作成装置。
【請求項８】
請求項１乃至７の何れか１項に記載の写真シール作成装置において、
前記背景表示単位体の表示面は光反射素材によって構成されたことを特徴とする写真シール作成装置。
【請求項９】
請求項８に記載の写真シール作成装置において、
被写体から見て前記背景装置の反対側に配置された被写体をストロボ照明するための照明装置を備え、
前記各背景表示単位体における前記カメラの方向に向いた表示面の全てを組み合わせて構成される前記した背景の面を、その上方側が前記カメラに対して近づくように傾斜させたことを特徴とする写真シール作成装置。
【請求項１０】
請求項１乃至７の何れか１項に記載の写真シール作成装置において、
前記各背景表示単位体における前記カメラの方向に向いた表示面の全てを組み合わせて構成される前記した背景の面を、その上方側が前記カメラに対して遠ざかるように傾斜させたことを特徴とする写真シール作成装置。
【請求項１１】
請求項１乃至１０の何れか１項に記載の写真シール作成装置において、
使用者が背景の種別を選択指定する入力操作手段と、該入力操作手段により使用者が選択指定した種別の背景となるように前記回転駆動手段を駆動制御する駆動制御手段とを、備えたことを特徴とする写真シール作成装置。
【請求項１２】
請求項１乃至１０の何れか１項に記載の写真シール作成装置において、
被写体となる使用者にガイダンス表示を行う操作案内用ディスプレイ装置と、該操作案内用ディスプレイ装置上に使用者が選択可能な背景の種類を提示させる表示制御手段と、使用者が背景の種別を選択指定する入力操作手段と、該入力操作手段により使用者が選択指定した種別の背景となるように前記回転駆動手段を駆動制御する駆動制御手段とを、備えたことを特徴とする写真シール作成装置。
【発明の詳細な説明】
【技術分野】
【０００１】
本発明は、遊技場、遊園地等のアミューズメント施設などに設置され、利用者の全身もしくは上半身を撮影して、被写体像を含む画像をシール紙に印刷するようにした写真シール作成装置に係り、特に、このような写真シール作成装置において被写体（利用者）の背景を変化させるようにした背景装置にかかわる技術に関するものである。
【背景技術】
【０００２】
上記の写真シール作成装置はアミューズメント施設などに設置されており、特に若年層によく利用されている。この写真シール作成装置は、撮影装置本体と、被写体が撮影や入力操作を行う撮影室と、撮影室内の被写体の背景を撮影ごとに変更することを可能とした背景装置とを含んで構成されており、撮影装置本体には、被写体を撮影するカメラ、被写体を照明する照明装置、撮影した被写体像を表示するモニタ装置、表示された被写体像に対する編集処理などを指示するための入力操作装置、編集された被写体像をシール紙に印刷して写真シールとして出力するプリント装置などが備えられている。
【０００３】
以上の構成において、利用者である被写体をデジタルカメラで撮影し、被写体像に対し、入力操作装置によって指示された利用者の好みに応じた編集処理を行った後、被写体像を含む画像をシール紙に印刷して、写真シールを利用者に渡すようになっている。
【０００４】
ここで、従来の写真シール作成装置における背景装置は、図２５〜図２７にそれぞそれ示し、以下に述べる３つのタイプに大別される。
【０００５】
図２５は第１のタイプの背景装置を示しており、この第１のタイプの背景装置は、天井に設置されたカーテンレール１０１と、このカーテンレール１０１に取り付けられカーテンレール１０１沿って移動する複数のカーテンランナ１０２と、この複数のカーテンランナ１０２に吊り下げられてカーテンレール１０１に沿って移動可能なカーテン１０３とからなる、カーテンユニットを、複数組配置したものとなっている。
【０００６】
図２６は第２のタイプの背景装置を示しており、この第２のタイプの背景装置は、水平に取り付けられた巻上軸１１１と、巻上軸１１１にその一端辺を固定されて巻上軸１１１を回転させることで上げ下げ可能なカーテン１１２とからなる、カーテンユニット（いわゆるロールカーテン方式のカーテンユニット）を、複数組配置したものとなっている。
【０００７】
上記の第１、第２の背景装置は、手動でカーテンを移動させる方式と自動でカーテンを移動させる方式の双方が存在し、被写体となる使用者が、撮影が始まる前に異なった色や模様をもったカーテンを選択することで、撮影背景の色や模様などを、好みのものに選択できるようになっている。
【０００８】
図２７は第３のタイプの背景装置を示しており、この第３の背景装置は、半透明のスクリーン（もしくはアクリル板）１２１と、それの背面部に設けた照明装置１２２とをもち、この照明装置１２２によりスクリーン１２１の色や模様を変化させることができるようになっており、被写体となる使用者が、撮影が始まる前に撮影背景の色や模様などを好みのものに選択できるようになっている。
【特許文献１】特開２００３−１９０００２号公報
【発明の開示】
【発明が解決しようとする課題】
【０００９】
ところで、上述した従来の第１、第２のタイプの背景装置は、特許文献１の図１等に示されるように、異なった色や模様をもったカーテンを有するカーテンユニットを、奥行き方向に複数組設ける必要があり、カーテンレールや巻上軸を複数設置しなければならないため、背景装置の設置スペースが大きくなってしまうという問題があった。このため、写真シール作成装置の限られた空間を有効利用するためには、背景の種別を多くすることができず、背景の選択肢が限られてしまうという指摘があった。
【００１０】
また、上述した従来の第３のタイプの背景装置は、照明装置からの光の拡散のために、照明装置から半透明のスクリーン（もしくはアクリル板）まで、ある程度の距離が必要となるため、これもまた背景装置の設置スペースが大きくなってしまうという問題があった。
【００１１】
さらに、第１、第２のタイプの背景装置では、カーテンを巻上げたり、束ねたりする必要があることから、背景に布系の素材しか用いることができず、また、第３のタイプの背景装置では、照明装置からの光が透過する素材（半透明素材）しか使えないなど、従来の３つのタイプの背景装置においては、被写体背景を創出するための素材の制約が大きく、例えば光反射素材を用いることができないなど、演出できる背景のバリエーションが少ないという問題があった。さらにまた、たとえ光反射素材が使用できたとしても、ストロボの発光が反射素材表面において乱反射され、ハレーションやストロボ形状が写真に写り込んでしまうという問題が生じることが懸念される。
【００１２】
このため、背景装置の仕組みとして、第１〜第３のタイプの背景装置以外の仕組みを用いることで、従来にはない目新しい背景が創出可能な、新しい仕組みの背景装置の出現が望まれていた。
【００１３】
本発明は上記のような事情に鑑みなされたもので、その目的とするところは、写真シール作成装置において、背景装置のための占有スペースを大きくとる必要がなく、かつ、撮影時に利用者が選択可能な背景の種別を増やすことができるようにすることにある。  
また、本発明の他の目的とするところは、今までに無い新しい仕組みをもった背景装置を実現することで、従来の背景装置が創出する背景との差別化を図り、以って、アイキャッチ力や話題性の向上が期待できる背景を創出（演出）可能とすることにある。  
また、本発明のさらに他の目的とするところは、今まで背景として使用できなかった素材、例えば光反射素材を使用することにより、この点でも、アイキャッチ力や話題性の向上が期待できる背景を創出（演出）可能とすることにある。さらにまた、光反射素材を用いた場合に問題となる、ストロボ発光により写真に写り込む光反射素材表面でのハレーションを目立たなくさせることにある。
【課題を解決するための手段】
【００１４】
上記した目的を達成するため、本発明の写真シール作成装置における背景装置は、背景の分割構成要素であって複数の表示面を有する複数個の例えば正三角柱体（背景表示単位体）と、この正三角柱体を回転可能に保持する保持手段と、正三角柱体を回転させて、正三角柱体の複数の表示面のうちで選択された表示面をカメラの方向に向けるための回転駆動手段とを備え、正三角柱体におけるカメラの方向に向ける表示面を変更することで、背景を変化させるように、構成される。  
また、正三角柱体は背景の縦寸法または横寸法に見合う長さをもち、縦または横に配置した正三角柱体を等間隔に複数本並設し、各正三角柱体はその中心軸を回転中心として、それぞれが個別に選択的に回転可能であるように、構成される。  
あるいは、正三角柱体をその中心軸を結ぶように複数個直列に配置した列を、縦配置または横配置すると共に、上記の列を等間隔に複数本並設して、各正三角柱体をその中心軸を回転中心として回転可能であるようにし、各正三角柱体は、上記の列毎にそれぞれが個別に選択的に回転可能、または、上記の列毎にその列内でグループ分けされた該グループ毎にそれぞれが個別に選択的に回転可能、または、各正三角柱体は、それぞれが個別に選択的に回転可能であるように、構成される。  
さらに、正三角柱体の表示面は光反射素材によって構成され、各正三角柱体におけるカメラの方向に向いた表示面の全てを組み合わせて構成される背景の面を、その上方側がカメラに対して近づくように傾斜させるように、構成される。
【発明の効果】
【００１５】
本発明によれば、複数の正三角柱体などの背景表示単位体の各表示面の全てを組み合わせて背景を構築する仕組みとしているので、各背景表示単位体を平面的に並べることができ、かつ、各背景表示単位体の回転駆動機構を収納できる程度の、厚みの薄い（奥行きの極く短い）スペースがあれば、背景装置を配置することが可能となるので、写真シール作成装置内における背景装置の設置スペースを小さくすることができ、写真シール作成装置内の限られた空間を有効利用することが可能となり、また、撮影者にとっては利用できる空間（撮影室）が大きくなったことで、大胆なポーズを取りやすくなり、また、多人数の利用者が同時に撮影室に入ること容易になるなど、利用者にとって利便性が向上する。  
また、複数の正三角柱体などの背景表示単位体を回転させることで、背景を変化させることができるようになっているため、例えば正三角柱体の３つの表示面をそれぞれ異なるカラーで色分けした場合には、背景を３色に変化させるだけではなく、各種の色分けの縞模様や市松模様など、変化に富んだ背景とすることができて、利用者が選択可能な背景種別の数を大幅に増やすことができ、アイキャッチ力や話題性の向上を図ることができて、集客力アップにより収益の増加を期待できる。
【００１６】
また、複数の正三角柱体などの背景表示単位体の表示面に、金属や樹脂や光反射素材（例えばホログラムシート）など従来使用できなかった素材を用いることで、今までにない質感をもった背景を創出することができ、この点でも、アイキャッチ力や話題性の向上を図ることができる。さらに、各背景表示単位体におけるカメラの方向に向いた表示面の全てを組み合わせて構成される背景の面を、その上方側がカメラに対して近づくように傾斜させることで、光反射素材表面でのハレーションを画角外に移動させること可能であるため、今まで使用できなかった光沢性の強い素材も背景として使用できる。
【発明を実施するための最良の形態】
【００１７】
以下、本発明の実施の形態を、図面を用いて説明する。
【００１８】
図１は、本発明の一実施形態に係る写真シール作成装置の外観を示す斜視図であり、図２は、図１を矢印Ａ方向から見た図である。
【００１９】
図１、図２において、１は写真シール作成装置の外形の骨組みとなるフレームで、このフレーム１に、本体部筐体２、背面部筐体３、側板４、天井板５が取り付けられて、箱状の外形を形作っており、この箱状の１つの側面には利用者が出入りできる出入り開口６が設けられている。出入り開口６は、遮光性素材を用いたカーテン７により少なくともその上半分が覆われるようになっている。また、写真シール作成装置の床には床板８が設けられている。なお、出入り開口６は対向する２つの側面にそれぞれ設けてもよい。
【００２０】
背面部筐体３内における本体部筐体２から最も遠い位置には、利用者である被写体９の背景を創出するための背景装置１０が設けられていて、本体部筐体２と背景装置１０との間の空間が撮影対象の被写体（利用者）を収容するための撮影空間（撮影室）となっており、撮影空間（撮影室）には複数の利用者が同時に入室可能となっている。
【００２１】
図３は、本体部筐体２の外観を示す斜視図であり、図４は、本体部筐体２の正面図である。なお、図３においては、本体部筐体２に備えられた構成要素を一部割愛して描いてあり、図４においては、正面側のカバー部材を取り外した状態が描いてある。
【００２２】
図３、図４において、２１は、本体部筐体２の正面の中央上寄りの位置に配置され、被写体の全身が撮影可能なカメラ（デジタルカメラ）、２２は、カメラ２１の下側に配置され、撮影した被写体画像などを表示するモニタ装置（液晶表示装置）で、被写体を撮影するときに、実際に写っている画像を被写体自身（利用者自身）が確認するために用いられる。つまり、利用者は撮影のときにモニタ装置２２に表示される自分の像を見ながら、立つ位置やポーズ、顔の位置などを調整、確認できるようになっている。
【００２３】
２３−１、２３−２、２３−３は、本体部筐体２の正面の上部および左右に配置され、被写体の正面側に対して照明光を照射するストロボからなる主照明装置で、この主照明装置２３−１、２３−２、２３−３は、カメラ２１で被写体を撮影するときのみ発光し、その光の強さによって撮影する画像の明るさを調整可能となっている。２４−１、２４−２、２４−３は、本体部筐体２の正面の上部および左右に配置されて常時点灯する副照明装置（蛍光灯など）で、利用者が撮影室内を見渡せるように撮影室内を照らすようになっている。
【００２４】
２５は、本体部筐体２の正面の略中央に配置されたタッチパネル付きの操作案内用のディスプレイ装置（タッチパネル付き液晶表示装置）で、このディスプレイ装置２５の表示画面上には、操作画面、進行状況、ガイダンスなどが表示されるようになっている。そして、ディスプレイ装置２５の表示画面に表示された操作ボタンやサムネイル画像等のアイコンなどを、利用者がタッチペン２６や手指などでタッチすることにより、各種の動作指示や情報選択指示などの入力操作が行えるようになっている。また、ディスプレイ装置２５の隣にはキー入力装置２７が設けられており、ディスプレイ装置２５の表示内容にしたがってキー入力装置２７を利用者が操作することによっても、各種の動作指示や情報選択指示などの入力操作が行えるようになっている。
【００２５】
また、２８は、写真シール作成装置の全体制御を司るシステムコントローラとしてのパソコン（パーソナルコンピュータ）で、撮影制御、撮影画像を加工または編集し利用者に落書き機能を提供する画像編集制御、印刷制御、後述する背景の切り換え制御等々の、各種の制御を実行する。２９は、被写体像を含む画像をシール紙に印刷するプリント装置で、印刷して作成した写真シールを用紙排出口へ搬送して、利用者に受け取らせるようになっている。
【００２６】
また、３０は金銭投入口を備えた課金装置で、利用料金の投入を受け付けて、収納するようになっている。なお、課金装置３０は、無料設定時を考慮し、取り外し可能なものとなっている。３１はスピーカで、音楽やガイダンスの音声を出力する。３２はストロボ用電源で、主照明装置（ストロボ）２３−１、２３−２、２３−３に対して利用者が選択した明るさに応じた電力を供給する。３３はＵＳＰ（無停電電源装置）で、停電時にも電源供給を行う機能をもつ。３４はスイッチパネルで、テスト用のスイッチやボリュームスイッチを固定したパネルとなっている。３５は、本体部筐体２の底面に設けられたキャスタロールで、本体部筐体２の移動時に使用し、位置決定後はロックするようにされる。
【００２７】
次に、前記背面部筐体３内の最奥部に配設される、前記背景装置１０について説明する。本発明の背景装置は、基本的には、複数の表示面を有しかつ回転可能とした背景表示単位体（三角柱体等の正多角柱体、円柱体、平板柱体、平板の組み合わせ柱体など）を複数個用意して、各背景表示単位体におけるカメラ２１の方向に向いた表示面の全てを組み合わせることによって、被写体のための背景を構築するようになっている。そして、各背景表示単位体をグループ分けして、あるいは個別に、モータなどの回転駆動源によって回転させて、各背景表示単位体におけるカメラの方向に向ける表示面を変更することで、背景を変化させるようになっている。そして、このような構成とすることにより、各背景表示単位体を平面的に並べることでき、かつ、各背景表示単位体の回転駆動機構を収納できる程度の、厚みの薄い（奥行きの極く短い）スペースがあれば、背景装置を配置することが可能となるので、写真シール作成装置内における背景装置の設置スペースを小さくすることができるようになっている。以下に、本発明による背景装置の各例について説明する。
【００２８】
図５は、第１例の背景装置１０Ａの外観を示したものであり、同図において、４１は背景表示単位体としての正三角柱体で、本第１例では、正三角柱体４１をその中心軸を結ぶように複数個直列に配置した列を縦に配置し、この列を等間隔に複数本並設した構成としてある。各列の正三角柱体４１はその中心を通る回転軸４２に固定されており、回転軸４２はその両端を保持枠４３に回転可能に保持されていて、各回転軸４２は、それぞれが個別に回転駆動源である図示せぬ各モータなどと、回転伝達メカニズムを介して連結されていて、各縦列毎に、個別に正三角柱体４１を回転駆動できるようになっている。なお、図５において、４４は保持枠４３下部のスタンド、４５は、スタンド４４の底面に設けられたキャスタロールで、背景装置１０Ａの移動時に使用される。
【００２９】
正三角柱体４１は、その３つの縦側面がそれぞれ表示面とされ、それぞれが異なった色や模様を施されたものとなっている。あるいはまた、正三角柱体４１の各表示面には、それぞれ異なる色や模様をもつ、金属箔やホログラムシートなどの光反射素材を貼着して、従来の背景装置では創出し得ない質感をもつ背景を創出できるようにしてもよい（これは、以下の背景装置の各例においても、同様である）。
【００３０】
また、この正三角柱体４１は、回転軸４２を受ける部分や、この部分と表示面とを結合する部分は必要であるが、軽量化のために中空状にすることが望ましく、かつ、難燃性の材料（例えば、難燃性の発泡スチロールや、ＰＥＴ）で形成することが望ましい（これは、以下の背景装置の各例においても、同様である）。
【００３１】
本第１例のように、背景表示単位体を正三角柱体４１とすると、カメラの方に向く表示面の位置が多少ずれても、他の表示面がカメラに向くことがないので、正三角柱体４１の回転位置決め精度を正確に管理しなくても済むという利点がある。
【００３２】
なお、隣接する縦列の正三角柱体４１を同時に回転させるようにすると、横で隣接する正三角柱体４１同士が干渉するのを避けるため、横で隣接する正三角柱体４１同士の間隔を広くとる必要があるので、１つ置きの縦列の正三角柱体４１をまず回転させ、次に残りの縦列の正三角柱体４１を回転させるようにすることが望ましく、これによって、横で隣接する正三角柱体４１同士の間隔を狭くすることが可能になる。
【００３３】
本第１例では、正三角柱体４１の３つの表示面が、例えば緑、青、ピンクである場合には、各正三角柱体４１におけるカメラ２１の方向に向いた表示面の全てを組み合わせることによって構築される背景を、緑または青またはピンクとすることが可能であることは言うまでもないが、正三角柱体４１を各縦列毎に個別に選択的に回転させることができるので、３つの色を適宜に組み合わせた縦縞模様の背景や、右半分と左半分を色分けした背景などを創出（演出）することが可能となっており、以って、背景のバリエーションを豊富にもつことができ、利用者の背景の選択肢が従来よりも大幅に増加できるものとなっている。図６は、本第１例の背景装置で縦縞模様を創出した場合の例を示している。
【００３４】
なお、本第１例では、正三角柱体４１は、各縦列毎にそれぞれが個別に選択的に回転可能としたが、正三角柱体４１は、各縦列毎にその列内でグループ分けされた該グループ毎にそれぞれが個別に選択的に回転可能、または、正三角柱体４１は、それぞれが個別に選択的に回転可能である構成としてもよい（これは、列毎に複数の背景表示単位体を配置した、以下の背景装置の各例においても、同様である）。
【００３５】
また、本第１例では、正三角柱体４１をモータによって回転駆動するとしたが、他の駆動源を用いてもよく、あるいは、場合によっては使用者が手動で正三角柱体４１を回転させる構成としてもよい（これは、以下の背景装置の各例においても、同様である）。
【００３６】
なおまた、本第１例では、正三角柱体４１をその中心軸を結ぶように複数個直列に配置した列を縦に配置し、この列を等間隔に複数本並設した構成としたが、正三角柱体４１をその中心軸を結ぶように複数個直列に配置した列を横（水平）に配置し、この列を等間隔に複数本並設した構成としてもよく、あるいは場合によっては、上記の列を斜めに配置した構成としてもよい（これは、列毎に複数の背景表示単位体を配置した、以下の背景装置の各例においても、同様である）。
【００３７】
図７、図８は、第２例の背景装置１０Ｂの要部を示したものである。本第２例の背景装置１０Ｂが前記第１例の背景装置１０Ａと異なるのは、本第２例では、正三角柱体４１はそれぞれが個別に選択的に回転可能であるように構成された点にある（図７、図８では、個別に回転できるような支持構造や、正三角柱体４１の回転駆動機構は、図示を割愛してある）。
【００３８】
本第２例の背景装置１０Ｂでは、前記第１例で創出できる背景のバリエーションに加えて、図７に示したような横縞の縞模様や、図８に示したような市松模様状など、さらに創出できる背景のバリエーションが広がる。
【００３９】
図９は、第３例の背景装置１０Ｃの要部を示したものである。本第３例の背景装置１０Ｃでは、前後２段に正三角柱体４１の配列をもつものとなっていて、前側（被写体に近い側）に配列した正三角柱体配列における、横で隣接する正三角柱体４１間の隙間を、後側に配列した正三角柱体配列の正三角柱体４１が埋めるような構成となっている。前後２段それぞれでの正三角柱体４１の支持構造や、回転駆動機構は、前記第１例の背景装置１０Ａまたは前記第２例の背景装置１０Ｂと同様である。
【００４０】
本第３例の背景装置１０Ｃでは、前記第１、第２例と同様の効果を奏することに加えて、創出される背景に隙間が生じることが無くなる。
【００４１】
図１０は、第４例の背景装置１０Ｄの要部を示したものである。前記第１例〜前記第３例では正三角柱体４１を格子状に配列したものとしたが、本第４例の背景装置１０Ｄでは、正三角柱体４１を千鳥状に配列している。また、本第４例の背景装置１０Ｄでは、各縦列の回転軸４２を正三角柱体４１毎に分割したものとして、各分割された回転軸４２同士が干渉しあうことなく個別に独立して回転可能であるように、各分割された回転軸４２同士をベアリング５１などのカップリングによって連結した構成としている。
【００４２】
図１１は、本第４例の背景装置１０Ｄにおける、ある１つの正三角柱体４１の回転駆動メカニズムを模式化して示したものである。正三角柱体４１と１対１に対応する回転軸４２には歯車５２が固着してあり、この歯車５２を、モータ等の駆動源５３によって回転駆動される駆動軸５４に固着した歯車５５を介して回転させることにより、個々の正三角柱体４１が上下で隣接する他の正三角柱体４１と干渉することなく、独立して回転できるようになっている。
【００４３】
図１２は、第５例の背景装置１０Ｅの要部を示したもので、ここでは正三角柱体４１の縦列を１つだけ示してあるが、縦列が複数設けられていることは言うまでもない。図１２には、本第５例の背景装置１０Ｅにおける、ある１つの縦列の回転駆動メカニズムを模式化して示してあり、本第５例では、１つの縦列に６つの正三角柱体４１をそれぞれが個別に回転可能であるように配設してあり、縦列の回転軸４２を正三角柱体４１毎に分割したものとして、各分割された回転軸４２同士が干渉しあうことなく個別に独立して回転可能であるように、各分割された回転軸４２同士を、図示していないが前記第５例と同様に、ベアリングなどのカップリングによって連結した構成としている。
【００４４】
本第５例では、正三角柱体４１は、縦列内でグループ分けされた該グループ毎にそれぞれが個別に選択的に回転可能となっており、各正三角柱体４１と１対１に対応する各回転軸４２に固着した歯車５２のうち、１番上の回転軸４２に固着した歯車５２と上から４番目の回転軸４２に固着した歯車５２が、第１の駆動源５３−１によって回転駆動される駆動軸５４−１に固着した歯車５５−１によって回転駆動され、上から２番目の回転軸４２に固着した歯車５２と上から５番目の回転軸４２に固着した歯車５２が、第２の駆動源５３−２によって回転駆動される駆動軸５４−２に固着した歯車５５−２によって回転駆動され、上から３番目の回転軸４２に固着した歯車５２と上から６番目の回転軸４２に固着した歯車５２が、第３の駆動源５３−３によって回転駆動される駆動軸５４−３に固着した歯車５５−３によって回転駆動されるようになっている。
【００４５】
このように本第５例では、正三角柱体４１を、縦列内でグループ分けされた該グループ毎にそれぞれが個別に選択的に回転可能としているので、正三角柱体４１の個々に駆動源を割り当てる場合に比して、コストダウンを図ることができる（これは、以下の列内でグループ分けされた背景表示単位体を、グループ毎に回転させる各例においても同様である）。
【００４６】
図１３は、第６例の背景装置１０Ｆの要部を示したもので、ここではある１つの縦列の中の２つの正三角柱体４１のみを描いてあるが、縦列には例えば６つの正三角柱体４１が設けられており、この縦列が複数設けられていることは言うまでもない。図１３には、本第６例の背景装置１０Ｆにおける、ある１つの縦列内の１つのグループの回転駆動メカニズムを模式化して示してあり、本第６例では、１つの縦列内において上下で隣接する２つの正三角柱体４１を１つのグループとして、各グループが個別に選択的に回転可能であるように、縦列の回転軸４２を、対となった正三角柱体４１のグループ毎に分割したものとして、各分割された回転軸４２同士が干渉しあうことなく個別に独立して回転可能であるように、各分割された回転軸４２同士をベアリング５１によって連結した構成としている。
【００４７】
本第６例では、ある１つのグループを構成する２つの正三角柱体４１に対応する各回転軸４２に固着した歯車５２が、例えば、第１の駆動源５３−１によって回転駆動される駆動軸５４−１に固着した歯車５５−１によって回転駆動される。縦列内の他のグループの回転駆動も同様に行われる。
【００４８】
図１４は、第７例の背景装置１０Ｇの要部を示したもので、ここではある１つの縦列の中の４つの正三角柱体４１のみを描いてあるが、縦列には例えば６つの正三角柱体４１が設けられており、この縦列が複数設けられていることは言うまでもない。図１４には、本第７例の背景装置１０Ｇにおける、ある１つの縦列内の２つのグループの回転駆動メカニズムを模式化して示してあり、本第７例では、１つの縦列内において１つ置きの正三角柱体４１をそれぞれ１つのグループとして、各グループが個別に選択的に回転可能であるようにしている。第１のグループを構成する正三角柱体４１は第１の兆番５６−１に固定され、第２のグループを構成する正三角柱体４１は第２の兆番５６−２に固定され、第１の兆番５６−１と第２の兆番５６−２とは、それぞれが互いに独立して回転可能であるように、支持軸５７に保持されている。また、第１の兆番５６−１と第２の兆番５６−２にはそれぞれ歯車５２が固着されている。
【００４９】
本第７例では、第１のグループを構成する各正三角柱体４１に対応する第１の兆番５６−１に固着した歯車５２が、第１の駆動源５３−１によって回転駆動される駆動軸５４−１に固着した歯車５５−１によって回転駆動され、第２のグループを構成する各正三角柱体４１に対応する第２の兆番５６−２に固着した歯車５２が、第２の駆動源５３−２によって回転駆動される駆動軸５４−２に固着した歯車５５−２によって回転駆動される。
【００５０】
ここで、上述した説明では、回転軸４２を分割して正三角柱体４１の回転を個別にあるいはグループ毎に独立させるメカニズムとして、ベアリング５１を用いたが、ベアリング以外のカップリングを用いても構わない。また、背景表示単位体である各正三角柱体４１は、モータなどの動力によって（場合によっては手動によって）回転させるが、動力の伝達手法は、図示したように平歯車を用いる手法以外に、平行軸歯車（例えば、はすば歯車、ラックギア）、交差軸歯車（かさ歯車）、食違い軸歯車（ウォームギア等）などを用いる手法や、滑車、ベルト、チェーンなどの回転伝達系を用いる手法や、回転軸に駆動源を
直結する手法など、適宜の手法がとり得ることはいうまでもない（これは、以下の背景装置の各例においても同様である）。
【００５１】
図１５は、第８例の背景装置１０Ｈの要部を示したものである。本第８例では、背景表示単位体としての正三角柱体４１を背景の縦寸法に相当する長さのものとして、この長尺の正三角柱体４１を縦に配置し、各正三角柱体４１を等間隔に複数本並設した構成としてある。各正三角柱体４１はその中心を通る回転軸４２に固定されており、回転軸４２はその両端を回転可能に保持されていて、各回転軸４２は、それぞれ個別に回転駆動源である図示せぬモータなどと回転伝達メカニズムを介して連結されていて、各正三角柱体４１を個別に回転駆動できるようにしている。
【００５２】
本第８例では、正三角柱体４１の個々が縦列を構成するため、縦列内で背景色や模様を変化させることはできないが、前記した第１例と同様に、縦縞模様の背景や、右半分と左半分を色分けした背景などを創出（演出）することが可能である。
【００５３】
なお、本第８例では、長尺の正三角柱体４１を縦に配置したが、正三角柱体４１を背景の横寸法に相当する長さのものとして、長尺の正三角柱体４１を横（水平）に配置して、各長尺の正三角柱体４１を等間隔に複数本並設した構成としてもよい。
【００５４】
図１６は第９例の背景装置１０Ｉの要部を示し、図１７は第１０例の背景装置１０Ｊの要部を示し、図１８は第１１例の背景装置１０Ｋの要部を示し、図１９は第１２例の背景装置１０Ｌの要部を示している。第９例では背景表示単位体を正四角柱体６１とし、第１０例では背景表示単位体を円柱体６２とし、第１１例では背景表示単位体を平板状柱体６３とし、第１２例では背景表示単位体を断面十文字形の平板の組み合わせ柱体６４としている。そして、第９例〜第１２例では、正四角柱体６１、円柱体６２、平板状柱体６３、平板の組み合わせ柱体６４を、その中心軸を結ぶように複数個直列に配置した列を縦に配置し、この列を等間隔に複数本並設した構成としてあり、正四角柱体６１、円柱体６２、平板状柱体６３、平板の組み合わせ柱体６４は、各縦列毎にそれぞれが個別に選択的に回転可能、または、縦列毎にその縦列内でグループ分けされた該グループ毎にそれぞれが個別に選択的に回転可能、または、個々が個別に選択的に回転可能であるように構成されている。
【００５５】
このような正四角柱体６１、円柱体６２、平板状柱体６３、平板の組み合わせ柱体６４を背景表示単位体しても、前述してきた第１例〜第８例の背景装置と同様に、背景のバリエーションを大幅に増加させることが可能になる。なお、正四角柱体６１および断面十文字形の平板の組み合わせ柱体６４では４つの表示面をもち、平板状柱体６３では２つの表示面をもち、円柱体６２では、１８０度毎の２つの表示面、あるいは漸次色や模様の変化する１つの表示面をもつものとなる。
【００５６】
図２０は、本発明の一実施形態に係る写真シール作成装置において、利用者の適宜の操作によって前記ディスプレイ装置２５上に呼び出された背景パターン表示の一例を示しており、利用者が選択可能な各種の背景のバリエーションが、複数のサムネイル画像７１として表示されるようになっている。このサムネイル画像７１の表示をスクロールあるいは順次切り替えることにより、利用者は選択可能な背景の種類を容易に知ることができ、好みの背景を選択したい場合には、利用者は、好みのサムネイル画像７１をタッチ、あるいは、前記キー入力装置２７のサムネイル画像７１に対応するキーをプッシュするようになっている。そして、この背景の選択指令を受けた前記パソコン２８が、背景装置の各駆動源のドライバを適宜に駆動制御することによって、利用者の所望する背景へと自動的に切り替るようになっている。
【００５７】
また、ディスプレイ装置２５の表示とは無関係に、前記キー入力装置２７のキーを利用者が押すことによって、背景が順次切り替るような構成としてもよい。このようにすると、ディスプレイ装置２５上に表示されている内容の如何にかかわらず、利用者が好きなタイミングで背景を選択できる。
【００５８】
なお、前記カメラ２１が取り込んだ被写体の画像から、パソコン２８が、肌色抽出、被写体の輪郭抽出などの画像処理を行うと共に、被写体の服の色などと現在の背景の色との対比を行い、背景の種別が適当でないと判断した場合には、利用者に背景の切り替えをした方がよい旨のメッセージを出力するようになすと、ユーザーフレンドリィな写真シール作成装置とすることができる。
【００５９】
次に、背景装置１０の各背景表示単位体の表示面に光反射素材を使用した場合に、懸念されるハレーションについて説明する。背景表示単位体としての例えば正三角柱体４１の表示面に光反射素材を貼着すると、表示面での光反射率が高くなるため、主照明装置（ストロボ）２３のフラッシュ光は、正三角柱体４１の表示面で反射した後も強いままとなり、この反射光のうちカメラ２１に侵入し画像に写り込まれた強い光がハレーションとして記録される虞がある。
【００６０】
図２１の（ａ）は、本体部筐体１と前記した第８例の背景装置１０Ｈとの第１の関係を表わした模式化側面図であり、図２１の（ｂ）は、背景装置１０Ｈの各正三角柱体４１をカメラ２１で撮影した概念図である。図２１は、背景装置１０Ｈの正三角柱体４１を床面に対して鉛直に設置した例である。各背景表示単位体（ここでは、各正三角柱体４１）におけるカメラ２１の方向に向いた表示面の全てを組み合わせて構築される背景の面を、床面に対し鉛直に設定すると、カメラ２１で撮影した画像には、図２１の（ｂ）中にハッチングを施した位置にハレーションが現れる。つまり、正三角柱体４１の表示面で反射されるストロボ２３のフラッシュ光は、カメラ２１の画角を正三角柱体４１の表示面で線対称反射させた範囲の光が、カメラ２１に写り込むことになり、画像上でハレーションはストロボ設置位置の画角での相対的位置に準じた位置に写り込む。図２１の（ａ）ではストロボ設置位置はこの位置での画角の上側に位置しているため、カメラ２１に取り込まれた画像でも、図２１の（ｂ）のようにハレーションが上側に記録されることになる。このようにハレーションが上側に記録されると、このハレーション記録位置は被写体の顔の部分に相当するため、画像が見苦しいものとなる。
【００６１】
そこで、本発明においては、背景装置１０の各背景表示単位体の表示面に光反射素材を使用した場合には、各背景表示単位体におけるカメラ２１の方向に向いた表示面の全てを組み合わせて構築される背景の面を、前後に傾けることにより、ハレーションの記録を回避もしくは画像品質に対して影響の少ないものとするように、背景装置１０を構成する。
【００６２】
図２２の（ａ）は、本体部筐体１と前記した第８例の背景装置１０Ｈとの第２の関係を表わした模式化側面図であり、図２２の（ｂ）は、背景装置１０Ｈの各正三角柱体４１をカメラ２１で撮影した概念図である。図２２は、背景装置１０Ｈの正三角柱体４１をカメラ方向に前側傾斜（各正三角柱体４１の上端をカメラ側に近づけ、下端をカメラから遠ざけるように傾斜）させた例である。この図２２の場合も、カメラ２１の画角を正三角柱体４１の表示面で線対称反射させた範囲の光がカメラに写り込むことになり、画像上でハレーションはストロボ設置位置の画角での相対的位置に準じた位置に写り込む。ここで、図２２に示した例では、各正三角柱体４１（背景の面）がカメラ方向に前側傾斜するように設定されているので、ストロボ設置位置の画角における相対的位置を上側に移動させることができる。このため、各正三角柱体４１（背景の面）傾斜を更に大きくしていくと、最終的には、図２２の（ｂ）に示すように、ハレーションを画角外へ移動させ取り除くことができる。
【００６３】
図２３の（ａ）は、本体部筐体１と前記した第８例の背景装置１０Ｈとの第３の関係を表わした模式化側面図であり、図２３の（ｂ）は、背景装置１０Ｈの各正三角柱体４１をカメラ２１で撮影した概念図である。図２３は、背景装置１０Ｈの正三角柱体４１をカメラ方向に後側傾斜（各正三角柱体４１の上端をカメラから遠ざけ、下端をカメラ側に近づけるように傾斜）させた例である。この図２３の場合も、カメラ２１の画角を正三角柱体４１の表示面で線対称反射させた範囲の光がカメラに写り込むことになり、画像上でハレーションはストロボ設置位置の画角での相対的位置に準じた位置に写り込む。ここで、図２３に示した例では、各正三角柱体４１（背景の面）が前側傾斜するように設定されているので、ストロボ２３の画角での相対的位置が下側となり、画角の下側へハレーションを移動させることができる。つまり、ハレーションを、撮影者の立ち位置の顔に相当する部位から下側へ移動させることができ、ハレーションを目立たない位置に移動させることができる。
【００６４】
次に、カメラ２１の光軸を水平よりも下向きに設定した場合の画像ひずみについて説明する。図２４は、本体部筐体１と前記した第８例の背景装置１０Ｈとの、前記した第３の関係における画角を示す図である。図４に示したように、一般的に、カメラ２１の位置は本体部筐体２の上部ユニットに設定されており、利用者のバストアップ写真と全身写真を同一のカメラにて撮影できるように、カメラ２１の光軸を水平よりも下向きに設定している。このため、床面に対し鉛直に立つ物体を撮影すると、画角の上側よりも下側が大きくなるため、カメラ２１に取り込まれる画像が、Ａ−Ａ位置で示す画像のようにひずんでしまう。これは利用者にとっては、下半身がやせて見えることにつながり好評な事柄ではあるが、背景装置１０Ｈの背景の面を、床面に対して鉛直に設定した場合には、背景の画像がゆがんでしまい、本発明のように縦縞模様などの背景を演出する場合には、背景の画像のゆがみがないことが望まれる。図２３、図２４に示すように、背景装置１０Ｈの正三角柱体４１をカメラ方向に後側傾斜（各正三角柱体４１の上端をカメラから遠ざけ、下端をカメラ側に近づけるように傾斜）させると、カメラ２１の光軸と各正三角柱体４１の表示面（背景の面）とを垂直に近づけることででき、画像に取り込まれる背景をＢ−Ｂ位置で示す画像のようにすることができ、背景のひずみを取り除くことができる。
【図面の簡単な説明】
【００６５】
【図１】本発明の一実施形態に係る写真シール作成装置の外観を示す斜視図である。
【図２】図１を矢印Ａ方向から見た写真シール作成装置の説明図である。
【図３】本発明の一実施形態に係る写真シール作成装置における、本体部筐体の外観を示す斜視図である。
【図４】本発明の一実施形態に係る写真シール作成装置における、本体部筐体を正面から見た説明図である。
【図５】本発明の一実施形態に係る写真シール作成装置における、第１の背景装置の外観を示す斜視図である。
【図６】本発明の一実施形態に係る写真シール作成装置における、第１の背景装置の要部を示す説明図である。
【図７】本発明の一実施形態に係る写真シール作成装置における、第２の背景装置の要部を示す説明図である。
【図８】本発明の一実施形態に係る写真シール作成装置における、第２の背景装置の要部を示す説明図である。
【図９】本発明の一実施形態に係る写真シール作成装置における、第３の背景装置の要部を示す説明図である。
【図１０】本発明の一実施形態に係る写真シール作成装置における、第４の背景装置の要部を示す説明図である。
【図１１】図１０の第４の背景装置における回転駆動メカニズムを示す説明図である。
【図１２】本発明の一実施形態に係る写真シール作成装置における、第５の背景装置の要部を示す説明図である。
【図１３】本発明の一実施形態に係る写真シール作成装置における、第６の背景装置の要部を示す説明図である。
【図１４】本発明の一実施形態に係る写真シール作成装置における、第７の背景装置の要部を示す説明図である。
【図１５】本発明の一実施形態に係る写真シール作成装置における、第８の背景装置の要部を示す説明図である。
【図１６】本発明の一実施形態に係る写真シール作成装置における、第９の背景装置の要部を示す説明図である。
【図１７】本発明の一実施形態に係る写真シール作成装置における、第１０の背景装置の要部を示す説明図である。
【図１８】本発明の一実施形態に係る写真シール作成装置における、第１１の背景装置の要部を示す説明図である。
【図１９】本発明の一実施形態に係る写真シール作成装置における、第１２の背景装置の要部を示す説明図である。
【図２０】本発明の一実施形態に係る写真シール作成装置における、ディスプレイ装置上の表示画面例を示す説明図である。
【図２１】本発明の一実施形態に係る写真シール作成装置における、本体部筐体と第８例の背景装置との、第１の関係を模式化した表わした説明図である。
【図２２】本発明の一実施形態に係る写真シール作成装置における、本体部筐体と第８例の背景装置との、第２の関係を模式化した表わした説明図である。
【図２３】本発明の一実施形態に係る写真シール作成装置における、本体部筐体と第８例の背景装置との、第３の関係を模式化した表わした説明図である。
【図２４】本発明の一実施形態に係る写真シール作成装置における、本体部筐体と第８例の背景装置との第３の関係での画角を示す説明図である。
【図２５】従来の写真シール作成装置における背景装置の説明図である。
【図２６】従来の写真シール作成装置における背景装置の説明図である。
【図２７】従来の写真シール作成装置における背景装置の説明図である。
【符号の説明】
【００６６】
２  本体部筐体
３  背面部筐体
１０、１０Ａ〜１０Ｉ  背景装置
２１  カメラ（デジタルカメラ）
２２  モニタ装置（液晶表示装置）
２３−１、２３−２、２３−３  主照明装置（ストロボ）
２４−１、２４−２、２４−３  副照明装置（蛍光灯など）
２５  タッチパネル付きのディスプレイ装置（タッチパネル付き液晶表示装置）
２６  タッチペン
２７  キー入力装置
２８  パソコン（パーソナルコンピュータ）
２９  プリント装置
３０  課金装置
４１  正三角柱体
４２  回転軸
５１  ベアリング
５２  歯車
５３、５３−１、５３−２、５３−３  駆動源
５４、５４−１、５４−２、５４−３  駆動軸
５５、５５−１、５５−２、５５−３  歯車
５６−１、５６−２  兆番
５７  支持軸
６１  正四角柱体
６２  円柱体
６３  平板状柱体
６４  平板の組み合わせ柱体
【図１】
2005091931.tif 000003
【図２】
2005091931.tif 000004
【図３】
2005091931.tif 000005
【図４】
2005091931.tif 000006
【図５】
2005091931.tif 000007
【図６】
2005091931.tif 000008
【図７】
2005091931.tif 000009
【図８】
2005091931.tif 000010
【図９】
2005091931.tif 000011
【図１０】
2005091931.tif 000012
【図１１】
2005091931.tif 000013
【図１２】
2005091931.tif 000014
【図１３】
2005091931.tif 000015
【図１４】
2005091931.tif 000016
【図１５】
2005091931.tif 000017
【図１６】
2005091931.tif 000018
【図１７】
2005091931.tif 000019
【図１８】
2005091931.tif 000020
【図１９】
2005091931.tif 000021
【図２０】
2005091931.tif 000022
【図２１】
2005091931.tif 000023
【図２２】
2005091931.tif 000024
【図２３】
2005091931.tif 000025
【図２４】
2005091931.tif 000026
【図２５】
2005091931.tif 000027
【図２６】
2005091931.tif 000028
【図２７】
2005091931.tif 000029